(57)【特許請求の範囲】
【請求項１】
碍子の首部と，この首部に保持具を用いて保持される電線と，の周囲に取り付けられる電線防護管であって、
前記碍子の両端部から前記電線の架線方向に沿って、それぞれジャバラ状に形成されるとともに，前記電線の幅よりも狭く一定幅に開いた１本のスリットが下方に設けられ、前記碍子又は前記電線のうち，少なくとも前記電線を被覆する可撓性を備えた一対の本体と、
前記スリットの対向する縁部に沿って間隔を空け、前記対向する縁部からそれぞれ開きながら下方に突出する一対の摘み部と、を備え、
前記一対の本体は、前記碍子の両端部とは反対側の端部に、それぞれ前記電線を中心として放射状に複数の切れ込みが離隔可能に設けられた先細形状を成す狭窄部が形成されることを特徴とする電線防護管。
【請求項２】
前記一対の本体とは別体に形成され、前記碍子の両端部寄りに、前記碍子の首部を被覆するとともに前記一対の本体を連結する連結部が備えられ、
前記連結部は、前記一対の本体の両端部のうち，前記碍子の両端部寄りの端部をそれぞれ接続する一対の接続部と、前記碍子の周面に密着する開口部と、を備えることを特徴とする請求項１記載の電線防護管。
【請求項３】
前記一対の摘み部又は前記スリットの対向する縁部のうち，少なくともいずれか一方は、それぞれ対向する方向へ湾曲する湾曲部が形成されることを特徴とする請求項１又は請求項２に記載の電線防護管。
【請求項４】
前記一対の本体は、合成樹脂製であることを特徴とする請求項１乃至請求項３のいずれか１項に記載の電線防護管。
【発明の詳細な説明】
【技術分野】
【０００１】
本発明は、碍子の首部と，この首部に保持具を用いて保持される電線と，の周囲に取り付けられる電線防護管に係り、特に、碍子から電線の架線方向に沿ってジャバラ状に形成されるとともに，一定幅を有するスリットと，スリットの縁部に沿って設けられる一対の摘み部と，を備える電線防護管に関する。
【背景技術】
【０００２】
まず、従来技術である電線の保持部について、図６を参照しながら説明する。
図６に示すように、電線１００は、電柱（図示せず）に支持された腕金１０１に取り付けられる碍子１０２の首部１０２ａに当接され、巻付バインド１０３が電線１００及び首部１０２ａに跨って螺旋状に巻回されることによって電柱に保持されている。この巻付バインド１０３は、鋼線等の芯線が樹脂等から成る絶縁体で被覆されたものである。
しかし、巻付バインド１０３の絶縁体が経年変化により破損して芯線が露出する場合があった。このような場合に、鳥やヘビ等の小動物がこの露出部分に接触して感電し、停電事故が頻繁に発生するという課題があった。
これを防止するため、硬質ポリエチレン等の合成樹脂により直線的に構成された円筒形状を成す電線保護カバーが開発された。しかし、この電線保護カバーは、直線状に架設された電線のみに装着可能であって、円弧状等に屈曲した電線には装着することができないため、小動物による停電事故の発生を完全に防止することができないという課題があった。
また、近年における間接活線工法では間接活線工具を使用することから、例えば、複雑な構造や間接活線工具の先端部で把持可能な把持部を備えない構造の電線保護カバーは、電線への着脱が困難であるという課題があった。
そこで、このような課題を解決する目的で、近年、自在に屈曲可能な電線保護カバーや、把持部を備えた電線保護カバーに関する技術が開発されており、それに関して既にいくつかの発明や考案が開示されている。
【０００３】
特許文献１には「電線保護カバー」という名称で、円弧状に屈曲して架設された電線に対して容易に被着可能な電線保護カバーに関する発明が開示されている。
以下、特許文献１に開示された発明について説明する。特許文献１に開示された電線保護カバーに関する発明は、合成樹脂製の円筒体を長手方向に凸部と凹部を交互に設けることにより蛇腹状に形成すると共に、該円筒体は長手方向で分割してその分割端に沿って円筒体の外側に電線を導入させる蛇腹状の案内突条を開閉自在に対設し、さらに一方の蛇腹状の案内突条の外側にこれらの蛇腹状の案内突条の先端を挟持して無用の開放を防止させる鉤状部を備える係止突片を設けて形成したことを特徴とする。
このような特徴を備えた電線保護カバーにおいては、蛇腹状に形成された円筒体は、各凹部で容易に屈曲されることから、縁回し線のように円弧状に屈曲して架設された電線に対しても無理なく被着される。円筒体が電線に被着された状態では、屈曲した個所であっても蛇腹状の案内突条が開放されないため、遠回し線の垂れ下がりや脱落が防止されるという作用を有する。従って、電線保護カバーを円弧状に屈曲した電線に対して容易に被着して使用することができるとともに、樹木の枝葉等が案内突条から入り込むことを防止することができる。さらに蛇腹状の案内突条によって沿面距離が確保され、漏電の危険なく安全に使用することができる。
【０００４】
次に、特許文献２には「配電線被覆補修カバー」という名称で、電線における充電部に専用化された配電線被覆補修カバーに関する考案が開示されている。
特許文献２に開示された考案は、長手方向に沿った下縁を分割して両分割端縁が自在に拡開し、電線の充電部を被覆する合成樹脂製からなる筒状のカバー本体と、カバー本体における両分割端縁にそれぞれ下方へ突出するようにして対設され、一方に係合突起を突設すると共に他方に該係合突起を係脱自在に係合させる係合孔が開設された一対の突出片と、カバー本体に設けられホットスティックの先端で挟持する把持片と、カバー本体の内周面に設けられ電線の充電部に当接すると共に電線の被覆層の切断端面に当たって電線に沿った不要な移動を阻止するズレ止め防止片と、を備えることを特徴とする。
このような特徴を有する配電線被覆補修カバーにおいては、ホットスティックの先端でカバー本体に設けられた一方の把持片を挟持し、カバー本体を下降させて充電部に接近させ被覆する。この状態で、一対の突出片を外側から挟むと、係合突起が係合孔に挿通されると共に係合爪が係合孔に係合し、配電線被覆補修カバーにより電線の充電部が被覆される。また、配電線被覆補修カバーを取り外すには、ホットスティックの先端にドライバーを取着し、両突出片間にドライバーの先端を差し込んで抉ることにより、係合突起の係合爪が係合孔から外される。この状態で、把持片をホットスティックの先端で把持し、配電線被覆補修カバーを電線から上方へ引き上げる。このように、ホットスティックを使用した場合において、配電線被覆補修カバーの電線への着脱を容易にかつ迅速に行うことができる。
【先行技術文献】
【特許文献】
【０００５】
【特許文献１】特開平７−２９６６６２号公報
【特許文献２】登録実用新案第３１６９１３８号公報
【発明の概要】
【発明が解決しようとする課題】
【０００６】
しかしながら、特許文献１に開示された発明においては、対設された案内突条も細かな周期の蛇腹状であるため、円弧状に屈曲した電線に被着した場合には案内突条同士の位置が横ズレし易く、係止突片をこれに対応する正しい位置の鉤状部で挟持することに手間取る可能性がある。また、係止突片を鉤状部で挟持又は鉤状部から取り外すことは、おそらく手作業である直接活線作業によって行われることが想定されており、間接活線工具を操作して同様の作業を行うことは困難であるものと考えられる。従って、作業員の安全性を十分に確保することができないおそれがある。
【０００７】
次に、特許文献２に開示された考案においては、配電線被覆補修カバーを電線の充電部に着脱するためには、係合突起の係合爪を係合孔に係合もしくは係合孔から外す必要がある。特に、係合爪を外す際には、ホットスティックの先端にドライバーを取着し、両突出片間にドライバーの先端を差し込んで抉る作業を行わねばならない。このような作業をホットスティックを用いて速やかに完了させるためには習熟を必要とするため、作業員によっては配電線被覆補修カバーを容易に着脱可能であるとは言えない場合がある。また、筒状のカバー本体は、直線状の電線に対してのみ装着可能であるので、電線の形状によってはこれを被覆できないことが考えられる。
【０００８】
本発明は、このような従来の事情に対処してなされたものであり、簡易な構成でありながら確実に小動物による感電事故を防止可能であって、しかも間接活線工具を使用して、碍子及び電線の周囲へ容易に着脱可能な電線防護管を提供することを目的とする。
【課題を解決するための手段】
【０００９】
上記目的を達成するため、請求項１記載の発明に係る電線防護管は、碍子の首部と，この首部に保持具を用いて保持される電線と，の周囲に取り付けられる電線防護管であって、碍子の両端部から電線の架線方向に沿って、それぞれジャバラ状に形成されるとともに，電線の幅よりも狭く一定幅に開いた１本のスリットが下方に設けられ、碍子又は電線のうち，少なくとも電線を被覆する可撓性を備えた一対の本体と、スリットの対向する縁部に沿って間隔を空け、対向する縁部からそれぞれ開きながら下方に突出する一対の摘み部と、を備え、一対の本体は、碍子の両端部とは反対側の端部に、それぞれ電線を中心として放射状に複数の切れ込みが離隔可能に設けられた先細形状を成す狭窄部が形成されることを特徴とする。
このような構成の電線防護管において、「ジャバラ状に形成される本体」とは、その長手方向に沿って自在に屈曲可能に構成されたジャバラ状を成す中空の円筒管である。また、「碍子の両端部から電線の架線方向に沿って、碍子又は電線のうち，少なくとも電線を被覆する一対の本体」とは、一対の本体が碍子を挟んで分離されている構造、又は連結されている構造のいずれもが含まれることを意味する。
さらに、「電線の幅よりも狭く一定幅に開いたスリット」とは、例えば、直径が１．０〜１．５ｃｍの電線に対し、０．５〜１．０ｃｍの幅を有するスリットが考えられるが、いずれの寸法の幅とするかは、電線径に応じて所望に定められるものである。そして、「スリットの対向する縁部に沿って間隔を空け、突出する一対の摘み部」とは、例えば、摘み部が本体の両端及びその中間付近の３箇所に設けられる構造が考えられる。また、「一対の摘み部」は、スリットの対向する縁部に沿って間隔を空け、対向する縁部からそれぞれ開きながら下方に突出するので、互いに係止、密着等されていない構造である。なお、図６を用いて説明したように、電線は碍子の首部に当接され、巻付バインドが電線及び首部に跨って螺旋状に巻回されることによって電柱に保持されている。
【００１０】
上記構成の電線防護管においては、本体がその長手方向に沿って自在に屈曲可能であることから、直線状の電線の他、湾曲した電線の形状に対応して装着されるという作用を有する。また、一対の本体が碍子を挟んで分離されている構造においては、碍子の首部に当接されている電線及び巻付バインドは本体によって被覆されない。一方、一対の本体が連結されている構造においては、首部における電線及び巻き付けバインドは本体によって被覆される。
また、本体がジャバラ状に形成されることに加えて、電線の幅よりも狭く一定幅に開いた１本のスリットが下方に設けられることから、電線にスリットを押し込んだり、又はスリットを介して本体を引くと、スリットの幅が拡張されて電線がスリットを通過し、本体は電線に装着又は取り外される。さらに、一対の摘み部がスリットの対向する縁部に沿って下方に突出しているので、例えば、間接活線工具の先端等で一対の摘み部の一片を挟持し、スリットに電線を通過させると、本体は容易に電線へ着脱されるという作用を有する。
さらに、一対の本体が可撓性を有するため、電線への着脱の際に形状が変化し易い。そのため、直線状の電線はもちろんであるが、特に湾曲した電線の形状に自在に対応する。なお、変形後に何ら力が加えられない場合においては、一対の本体は変形前の形状へ直ちに復帰しようとすることから、電線へ装着後はこれを被覆する形状が維持される。
そして、一対の本体をそれぞれ電線に装着した場合、先細形状を成す狭窄部の先端部分が電線の外周に圧接し、一対の本体が電線の架線方向に沿って移動することが抑制される。これに対し、前述したようにスリットの幅が拡張されると、複数の切れ込み同士が離隔して電線に対する圧接が解除される。なお、狭窄部のうち、スリットの延長線上に連設される部分は、スリットと同様に間隙が設けられていても良く、いなくても良い。
【００１１】
次に、請求項２記載の発明に係る電線防護管は、請求項１記載の電線防護管において、一対の本体とは別体に形成され、碍子の両端部寄りに、碍子の首部を被覆するとともに一対の本体を連結する連結部が備えられ、連結部は、一対の本体の両端部のうち，碍子の両端部寄りの端部をそれぞれ接続する一対の接続部と、碍子の周面に密着する開口部と、を備えることを特徴とする。
このような構成の電線防護管において、「碍子の首部を被覆する連結部」とは、連結部が首部の外周に密着して周回している構造をいう。また、連結部は、一対の本体とはそれぞれ別体となっている。また、「碍子の周面に密着する開口部」とは、連結部を碍子に装着した時に、開口部が首部よりも下方に位置する構造を指す。そして、一対の接続部は閉鎖孔ではなく、それぞれ一部が開口部の左右端と連続する開放構造となっている。
上記構成の電線防護管においては、請求項１記載の発明の作用に加えて、首部に当接されている電線及び巻付バインドが連結部によって被覆されるという作用を有する。さらに、連結部は一対の本体を連結しているので、一対の本体のみから構成される場合と比較して、碍子及び電線からのズレが防止される。
さらに、一対の接続部が一対の本体の両端部のうち，碍子の両端部寄りの端部をそれぞれ接続することから、一対の本体が電線に装着された場合にこれら本体が電線に固定され、本体の回転や落下が防止されるという作用を有する。また、開口部が碍子の首部よりも下方に設けられているので、首部に当接されている電線及び巻付バインドが連結部によって被覆される。なお、碍子の首部から上方の部分、すなわち碍子の頭部は連結部に被覆されていても、いなくても良い。
【００１２】
さらに、請求項３記載の発明に係る電線防護管は、請求項１又は請求項２に記載の電線防護管において、一対の摘み部又はスリットの対向する縁部のうち，少なくともいずれか一方は、それぞれ対向する方向へ湾曲する湾曲部が形成されることを特徴とする。
このような構成の電線防護管において、「湾曲部」は、一対の摘み部又はスリットを中心として対称的であっても良いし、あるいは互いに湾曲の曲率が異なるために一方の湾曲部に他方の湾曲部が巻き込まれる構造でも良い。また、湾曲部の先端同士は、互いに密着していても良いし、一定幅を有して離隔していても良い。
上記構成の電線防護管においては、請求項１又は請求項２に記載の発明の作用に加えて、スリットを通過して本体の内部へ浸入する風や雨水の量が減少する。従って、本体に被覆された電線や巻付バインドに劣化が抑制される。また、特にスリットの対向する縁部に湾曲部が設けられる場合では、電線がこの湾曲部に係止され、本体が電線より脱落し難くなるという作用を有する。
【００１３】
そして、請求項４記載の発明に係る電線防護管は、請求項１乃至請求項３のいずれか１項に記載の電線防護管において、一対の本体は、合成樹脂製であることを特徴とする。
このような構成の電線防護管においては、請求項１乃至請求項３のいずれか１項に記載の発明の作用に加えて、一対の本体が、合成樹脂製であるため、軽量であるとともに一定程度の強度を有している。なお、合成樹脂としては、例えば、軟質ポリエチレンや軟質ポリエステル等が用いられる。
【発明の効果】
【００１４】
本発明の請求項１記載の電線防護管によれば、一対の本体がそれぞれジャバラ状に形成されるため、その長手方向に沿って自在に屈曲することが可能であり、直線状や湾曲した電線に装着することができる。これは、一対の本体が互いに分離・連結状態のいずれの場合においても共通している。従って、電線防護管は、電線の形状に関わらず、巻付バインドの少なくとも電線に巻回された部分を保護することができる。
また、本体には、電線の幅よりも狭く一定幅に開いた１本のスリットが碍子の両端部から電線の架線方向に沿って下方に設けられていることから、スリットに電線を通過させることで本体を電線に装着又は取り外すことができる。よって、電線防護管を速やかに電線へ着脱することが可能である。さらに、一対の摘み部がスリットの対向する縁部からそれぞれ開きながら下方に突出しているので、間接活線工具の先端等が把持することが容易となり、作業の簡易化と安全性を確保することができる。そして、一対の摘み部は、スリットの縁部に沿って間隔を空けて設けられていることから、本体をスリットを内側として比較的強く屈曲させた場合であっても互いに衝突せず、把持の容易性を維持することができる。
さらに、一対の本体が可撓性を有するため、電線の形状に関わらず容易に着脱可能である。そして、装着された後には、電線及び巻付バインドを被覆する形状が維持されるので、安定的に電線等を保護することができる。また、被覆された電線及び巻付バインドが一対の本体と摩擦しても互いに損傷し難い。さらに、一対の本体は軽量であるため、着脱時における作業員の疲労がわずかであるとともに、装着中の電線への荷重は殆んど無視することができる。
加えて、先細形状を成す狭窄部によって一対の本体が電線の架線方向に沿って移動することが抑制されるため、一対の本体が碍子を挟んで分離されている構造においては、碍子から一対の本体が互いに遠ざかることを防止可能である。また、一対の本体が碍子を挟んで連結されている構造においては本体同士が互いに遠ざかる構造ではないが、狭窄部が電線を圧接するため、本体の回転や落下の可能性を低減できる。従って、一対の本体が碍子を挟んで分離・連結されている構造のいずれにおいても、巻付バインドを確実に保護することができる。また、複数の切れ込みが離隔して電線に対する圧接が解除されることから、狭窄部によって本体の取り外しが困難となるものではない。
【００１５】
本発明の請求項２記載の電線防護管によれば、請求項１記載の発明の効果に加えて、首部周辺の巻付バインドを連結部によって保護することができる。よって、巻付バインド全体の経年変化による劣化を防止することが可能である。
また、接続部によって、一対の本体の回転等が防止されるので、電線防護管自体が巻付バインドを損傷させるという事態を回避することができる。また、一対の接続部は、それぞれ開口部の左右端と連続していることから、間接活線工具による連結部の装着が容易である。
【００１６】
本発明の請求項３記載の電線防護管によれば、請求項１又は請求項２に記載の発明の効果に加えて、電線やスリットの幅に適応した様々な形状の湾曲部を形成することが可能であるため、雨水等の浸入防止効果や電線からの落下防止効果を向上させることができる。ただし、湾曲部を備えることによって、間接活線工具による電線への取付容易性はやや低下する可能性があるものの、前述したような落下防止効果が向上することから、全体として巻付バインドの劣化抑制という有利な効果が発揮可能である。
【００１７】
本発明の請求項４記載の電線防護管によれば、請求項１乃至請求項３のいずれか１項に記載の発明の効果に加えて、一対の本体は、一定程度の強度を有する合成樹脂製であることから、屈曲動作が反復して加えられても損傷し難く、また屋外で長期間に亘って設置される場合の劣化が少ない。
【図面の簡単な説明】
【００１８】
【図１】（ａ）は実施例１に係る電線防護管の側面図であり、（ｂ）及び（ｃ）はそれぞれ（ａ）におけるＡ−Ａ線矢視断面図、Ｂ−Ｂ線矢視図である。
【図２】実施例１に係る電線防護管の装着時における説明図である。
【図３】（ａ）及び（ｂ）は、それぞれ実施例１に係る電線防護管の外観図である。
【図４】（ａ）は実施例２に係る電線防護管の外観図であり、（ｂ）は実施例２の変形例に係る電線防護管の外観図である。
【図５】（ａ）は実施例３に係る電線防護管の横断面図であり、（ｂ）は実施例３の変形例に係る電線防護管の横断面図である。
【図６】従来技術の外観図である。
【発明を実施するための形態】
【実施例１】
【００１９】
本発明の実施の形態に係る実施例１の電線防護管について、図１乃至図３を用いて詳細に説明する（主に、請求項１及び請求項４に対応）。
なお、図１で示した構成要素については、図２及び図３においても同一の符号を付して、その説明を省略する。
図１（ａ）は実施例１に係る電線防護管の側面図であり、図１（ｂ）及び図１（ｃ）はそれぞれ図１（ａ）におけるＡ−Ａ線矢視断面図、Ｂ−Ｂ線矢視図である。
【００２０】
図１（ａ）に示すように、本実施例の電線防護管１は、電線６（図２参照）の架線方向に沿ってジャバラ状に形成された略円筒形状の本体２と、本体２の全長に亘って設けられる１本のスリット３と、スリット３の対向する縁部３ａ，３ａに沿って３箇所に突出する一対の摘み部４，４と、本体２と連なって設けられ，略円錐形状を成す狭窄部５と、から構成される。このうち、狭窄部５は、先細形状を成し、略円錐形状の開放部５ｂから電線６を中心として放射状に切り込まれ互いに離隔可能な複数の切れ込み５ａが設けられる。これら本体２、摘み部４，４及び狭窄部５は、可撓性を有する軟質ポリエチレンを用いて一体的に形成される。また、本体２の長さは約４０ｃｍであり、摘み部４の横幅及び摘み部４同士の間隔は、それぞれ約２ｃｍ、約１７ｃｍである。
【００２１】
次に、図１（ｂ）に示すように、本体２のスリット３は一定幅（図中Ｍ）を有している。さらに、その縁部３ａ，３ａには、それぞれ摘み部４，４がスリット３を中心として対称的に、その間隔を先端になるにつれて拡張させながら直線的に本体２の下方へ突出して設けられる。
【００２２】
さらに、図１（ｃ）に示すように、狭窄部５の開放部５ｂは楕円形状であり、スリット３の延長線上に連設される部分は切り欠かれている。
また、図１（ｂ）及び図１（ｃ）において、本体２の直径（Ｌ）、スリット３の幅（Ｍ）、開放部５ｂの最大径（Ｎ）、本体２の厚さ（Ｔ）は、電線の直径に対し、以下の表１に示された２種類（ａ，ｂ）となっている。すなわち、電線の直径よりも狭く一定幅（Ｍ）に開いた１本のスリット３が本体２の下方に設けられる。
【００２３】
【表１】
0005615895.tif 000002
【００２４】
さらに、図２を参照しながら、実施例に係る電線防護管の装着手順について、より詳細に説明する。図２は、実施例１に係る電線防護管の装着時における説明図である。
図２に示すように、電線防護管１は、本体２の摘み部４，４のうち、一方が間接活線工具７によって把持される。次に、その状態を維持しつつスリット３を電線６が通過するように本体２を上方から電線６へと被せる。表１に示すように、電線６の直径はスリット３の幅（Ｍ）よりも大であるが、本体２の材質が軟質ポリエチレンであるために縁部３ａ，３ａは可撓性を備え、幅（Ｍ）が拡張されて電線６は本体２の内部へ収容される。逆に、電線防護管１を電線６から取り外す場合は、摘み部４，４の一方を間接活線工具７によって把持しながら、電線６からスリット３を介して本体２を引き抜けば良い。スリット３の幅（Ｍ）は電線６の直径と本体２の可撓性の程度に基づいて適宜定めるとよい。
【００２５】
続いて、図３を参照しながら、電線防護管１の装着状態について、より詳細に説明する。図３（ａ）及び図３（ｂ）は、それぞれ実施例１に係る電線防護管の外観図である。
図３（ａ）に示すように、一対の電線防護管１，１が直線状の電線６に装着されている。電線６は、電柱（図示せず）に支持された腕金８に取り付けられる碍子９の首部９ａに当接された状態で、巻付バインド（図３（ａ）に図示せず、図６参照）が電線６及び首部９ａに跨って螺旋状に巻回されることによって電柱に保持されている。そのため、一対の電線防護管１，１は、それぞれ狭窄部５とは反対側の端部を碍子９に可能な限り近接させて電線６に装着されている。また、それぞれの狭窄部５，５は、電線６の外周に圧接されている。このとき、首部９ａに巻回された巻付バインドは、一対の電線防護管１，１によって被覆されていない状態である。
次に、図３（ｂ）に示すように、一対の電線防護管１，１が電線６の湾曲形状に沿って屈曲され、これに装着されている。そして、狭窄部５，５は、互いに離隔可能な複数の切れ込み５ａ（図１（ｃ）参照）が設けられることから、狭窄部５，５全体が電線６の湾曲形状に適合するように変形されている。よって、狭窄部５，５の電線６に対する圧接は、図３（ａ）の場合と同程度に維持されている。
【００２６】
本実施例の電線防護管１においては、本体２が、ジャバラ状に形成されることから、本体２は自在に屈曲され、電線６の架線方向に適合する形状が形成される。さらに、本体２が可撓性を有しているため、スリット３が電線６の直径と同程度の幅に拡張され易い。加えて、スリット３の幅（Ｍ）が電線６の直径に対し、ある程度の大きさを有しているので、間接活線工具７を使用した場合においても本体２はスリット３を介し容易に電線６へと着脱される。なお、変形後に何ら力が加えられない場合においては、電線防護管１は変形前の形状へ直ちに復帰しようとすることから、電線６へ装着後はこれを被覆する形状が維持される。
また、摘み部４，４が２ｃｍ程度突出して設けられていることから、間接活線工具７で摘み部４，４を把持することにより、本体２はさらに容易に電線６へ着脱される。なお、摘み部４，４は縁部３ａ，３ａに設けられているので、スリット３の幅（Ｍ）が維持される。摘み部４，４によって本体２の着脱容易性は低下しない。
【００２７】
また、狭窄部５は、複数の切れ込み５ａが設けられ、縁部３ａと縁部３ａの間は切り欠かれていることから、本体２を電線６に装着する際には、この切り欠かれている部分の幅がスリット３と同程度に拡張する。続いて、電線６が本体２の内部へ収容されると、複数の切れ込み５ａは可撓性を有するため、電線６の外周に沿って変形し、それらの先端が圧接する。従って、切れ込み５ａと電線６との摩擦によって本体２が電線６に沿って移動することや、本体２が電線６を中心として回転することが抑制される。
逆に、本体２が電線６から取り外される場合には、スリット３の拡張とともに複数の切れ込み５ａ同士が離隔して電線６に対する圧接が解除される。
【００２８】
以上説明したように、本実施例の電線防護管１によれば、本体２は電線６の形状に適合する形状が自在に形成されるため、直線状の他、湾曲した電線６に装着することができる。また、装着された後には、電線６及び巻付バインドを被覆する形状が維持されるので、電線防護管１は、電線６の形状に関わらず、巻付バインドの電線６に巻回された部分を安定的に保護することができる。すなわち、電線６に巻回された巻付バインドの経年変化による芯線の露出を回避することが可能であり、鳥等の小動物がこの露出部分に接触することによる停電事故の発生を防止することが可能である。
また、スリット３の幅（Ｍ）が電線６の直径に対し、ある程度の大きさを有しているので、間接活線工具７を使用した場合であっても、電線防護管１を速やかに電線６へ着脱することができる。さらに、本体２の下方へ突出する摘み部４，４を把持可能であることから、間接活線工具７を使用しての作業が簡易化される結果、作業時間を短縮することができる。従って、業務効率が向上することに加え、作業員の安全性をより確保することができる。
そして、摘み部４，４が設けられた位置においてスリット３の幅（Ｍ）が維持されるため、摘み部４，４によって本体２の着脱容易性は低下しない。また、摘み部４の横幅及び摘み部４同士の間隔は、それぞれ約２ｃｍ、約１７ｃｍであることから、本体２をスリット３を内側として比較的強く屈曲させた場合であっても隣接する２対の摘み部４，４同士が互いに衝突せず、把持の容易性を維持することができる。
【００２９】
さらに、可撓性を有する複数の切れ込み５ａが電線６に圧接することによって、本体２の移動や回転が抑制されるため、電線６及び巻付バインドの損傷を回避可能であり、強風の場合等における本体２のズレや落下の可能性を低減できる。さらに、狭窄部５が設けられない場合と比較して、本体２の内部への雨水の侵入を低減できる。一方、本体２の電線６への圧接は、複数の切れ込み５ａが互いに離隔することで解除されるため、本体２の取り外しも装着と同様に容易である。
さらに、電線防護管１の材質は軟質ポリエチレンであることから、電線６に装着された後は、本体２のジャバラ形状部分が電線６及び巻付バインドと摩擦したとしても互いに損傷し難い。さらに、電線防護管１は軽量であるため、着脱時における作業員の疲労がわずかであるとともに、装着中の電線６への荷重は殆んど無視することができる。また、軟質ポリエチレンは一定程度の強度を有することから、屈曲動作が反復して加えられても損傷し難い。また、屋外での劣化が少ないので、本体２への雨水の侵入を長期間に亘って低減可能であり、この点からも巻付バインドの劣化を防止することができる。
【００３０】
以上のように、電線防護管１は、軟質ポリエチレンを材料とし、ジャバラ形状の本体２と、本体２に設けられるスリット３と、スリット３に沿って３箇所に突出する一対の摘み部４，４と、本体２と連なって設けられる狭窄部５と、から一体的に形成されるという簡易な構成であるため、安価かつ容易な製造及び導入が可能である。また、軟質ポリエチレンを材料としているので、細かなサイズ調整が容易である。従って、電線６の形状や直径に適応可能な電線防護管１を適宜製造できるので、広い汎用性を有している。
【００３１】
なお、本発明の電線防護管の構造は本実施例に示すものに限定されない。例えば、電線防護管１のサイズは表１に示されたものに限定されず、一対の摘み部４，４の個数が１本の本体２当たりに３対以外であっても良い。また、縁部３ａと縁部３ａの間において、複数の切れ込み５ａは互いに重複する等、切り欠かれていなくても良い。
【実施例２】
【００３２】
本発明の実施の形態に係る実施例２の電線防護管について、図４を用いて詳細に説明する（主に、請求項２に対応）。
なお、図１乃至図３で示した構成要素については、図４においても同一の符号を付して、その説明を省略する。
図４（ａ）は実施例２に係る電線防護管の外観図であり、図４（ｂ）は実施例２の変形例に係る電線防護管の外観図である。
【００３３】
図４（ａ）に示すように、本実施例の電線防護管１０は、一対の本体２，２と、碍子９の両端部寄りに一対の本体２，２を連結する連結部１１と、から構成される。連結部１１は、半円筒形のジャバラ形状であり、首部９ａの外周を周回するリング状を成している。また、連結部１１は、一対の本体２，２と同一の材質によってこれらと一体的に形成される。
次に、図４（ｂ）を参照しながら、実施例２の変形例について説明する。図４（ｂ）に示すように、本実施例の変形例に係る電線防護管１０ａは、一対の本体２，２と、これと一部が重複する連結部１２と、から構成される。連結部１２は、本体２における碍子９の両端部寄りの端部２ａ，２ａをそれぞれ接続する一対の接続部１２ａ，１２ａと、碍子９の周面に密着する開口部１２ｂと、碍子９の頭部９ｂ全体を被覆する袋状部１２ｃと、から構成される。このうち、開口部１２ｂは首部９ａの下方に設けられ、その左右端はそれぞれ接続部１２ａ，１２ａと連通している。そして、連結部１２は、一対の本体２，２と同一の材質によってこれらとは別体で形成される。なお、端部２ａとは、本体２のジャバラ形状における１周期分（谷〜谷）をいうが、複数周期分でもよい。また、本願でいう「接続」の意味は、本実施例の変形例のように連結部１２を本体２とは別体に設けるような場合には、本体２の端部２ａと連結部１２の接続部１２ａのジャバラ形状の重なりによる嵌合の他、圧着でもよい。さらに、変形例では示されていないものの、本体２と連結部１２を一体に設けることでの接続でもよい。
本実施例の電線防護管１０，１０ａに係るこの他の構成は、実施例１の電線防護管１と同様である。
【００３４】
本実施例の電線防護管１０においては、連結部１１は、ジャバラ形状のリング状を成すため、碍子９への着脱時にはその内径が頭部９ｂの径以上に伸展され、装着中は首部９ａに密着する。また、連結部１１は半円筒形のジャバラ形状であるため、連結部１１は首部９ａの外周に隙間なく装着され、首部９ａに当接されている電線６及び巻付バインドを外側から被覆するという作用を有する。また、この他の部分における電線６及び巻付バインドは、一対の本体２，２によって被覆される。加えて、連結部１１は一対の本体２，２を連結しているので、実施例１の電線防護管１と比較して、一対の本体２，２が碍子９及び電線６から落下等することがより防止される。
この他の作用は、実施例１の電線防護管１と同様である。
【００３５】
次に、本実施例の変形例に係る電線防護管１０ａの作用について説明する。連結部１２は、本体２と同一の材質によって形成され、可撓性を有していることに加えて、開口部１２ｂの図面に向かって左右端はそれぞれ接続部１２ａ，１２ａと連通していることから、着脱時には開口部１２ｂ及び接続部１２ａ，１２ａが形成する内径が頭部９ｂの径以上に伸展される。そして、電線６及び碍子９へ装着された後は、連結部１２が変形前の形状へ直ちに復帰しようとすることから、首部９ａに開口部１２ｂが密着し、本体２と連結部１２の接続が、端部２ａ，２ａとそれぞれ接続部１２ａ，１２ａとの接続で実現される。さらに、開口部１２ｂは首部９ａの下方に設けられるため、首部９ａに当接されている電線６及び巻付バインドが連結部１２によって被覆されるという作用を有する。これと同時に、一対の本体２，２は接続部１２ａ，１２ａを介して碍子９へ間接的に固定された状態となり、一対の本体２，２の回転や電線６からの落下等が防止される。
この他の作用は、実施例１の電線防護管１と同様である。
【００３６】
以上説明したように、本実施例の電線防護管１０によれば、連結部１１によって首部９ａに当接されている電線６及び巻付バインドが被覆されるので、巻付バインド全体の保護することができる。このとき、連結部１１は首部９ａの外周に密着することから、強風等によって電線防護管１０が碍子９から脱落する可能性を軽減することができる。加えて、よって、巻付バインド全体の経年変化による劣化を防止することが可能である。
また、連結部１１は、ジャバラ形状のリング状を成し、その内径が着脱時には頭部９ｂの径以上に伸展されることから、間接活線工具７を使用する場合の着脱が困難とはならない。
この他の効果は、実施例１の電線防護管１と同様である。
【００３７】
さらに、本実施例の変形例に係る電線防護管１０ａの効果について説明する。連結部１２及び一対の本体２，２によって、電線６及び碍子９に巻回された巻付バインド全体の保護することができる。このうち、連結部１２の接続部１２ａ，１２ａによって、一対の本体２，２の回転等が防止されるので、電線防護管１０ａ自体が巻付バインドを損傷させるという事態を回避することができる。また、開口部１２ｂは首部９ａの下方に設けられ、袋状部１２ｃは碍子９の頭部９ｂ全体を被覆することから、首部９ａに巻回された巻付バインドが雨水や風雪に晒されることがない。従って、この部分における巻付バインドの劣化を確実に防止することができる。
さらに、着脱時には、開口部１２ｂ及び接続部１２ａ，１２ａが形成する内径が頭部９ｂの径以上に伸展されるため、間接活線工具７による連結部１２の装着が容易である。
この他の効果は、実施例１の電線防護管１と同様である。
【００３８】
なお、本発明の電線防護管の構造は本実施例に示すものに限定されない。例えば、連結部１１，１２の厚さは、本体２の厚さ（Ｔ）と異なるものでも良い。特に開口部１２ｂや接続部１２ａ，１２ａは、強度を持たせるため厚さ（Ｔ）よりも厚いものであっても良い。また、端部２ａが、本体２のジャバラ形状の１周期分以上の長さを有していても良く、袋状部１２ｃが備えられていなくても良い。
【実施例３】
【００３９】
本発明の実施の形態に係る実施例３の電線防護管について、図５を用いて詳細に説明する（主に、請求項３に対応）。
なお、図１乃至図４で示した構成要素については、図５においても同一の符号を付して、その説明を省略する。
図５（ａ）は実施例３に係る電線防護管の横断面図であり、図５（ｂ）は実施例３の変形例に係る電線防護管の横断面図である。
【００４０】
図５（ａ）に示すように、本実施例の電線防護管１３は、電線防護管１における摘み部４，４の代わりに摘み部１４，１４を備える。摘み部１４，１４は、先端が互いに向き合った状態となるよう、スリット３を中心として対称的に湾曲する湾曲部１４ａ，１４ａが形成される。この摘み部１４，１４の先端同士の間隔（図中Ｍ１）は、実施例１に係るスリット３の幅（Ｍ＝０．５〜１．０ｃｍ）よりもやや小さい０．３〜０．８ｃｍである。また、摘み部１４，１４の基端同士の間隔（図中Ｍ２）は、幅（Ｍ）と同等である。
次に、図５（ｂ）に示すように、本実施例の変形例に係る電線防護管１３ａは、スリット３の縁部３ａ，３ａの代わりに、本体２の内部に向かって対称的に湾曲する縁部３ｂ，３ｂが設けられる。縁部３ｂ，３ｂ同士の間隔（図中Ｍ３）は、電線の直径（１．０〜１．５ｃｍ）やスリット３の幅（Ｍ）よりも小さい０．３〜０．８ｃｍである。
本実施例の電線防護管１３，１３ａに係るこの他の構成は、実施例１の電線防護管１と同様である。
【００４１】
本実施例の電線防護管１３においては、摘み部１４，１４の先端同士の間隔（Ｍ１）が、実施例１に係るスリット３の幅（Ｍ）よりもやや小さいため、スリット３を通過して本体２の内部へ浸入する風や雨水の量が減少する。
この他の作用は、実施例１の電線防護管１と同様である。
【００４２】
次に、本実施例の変形例に係る電線防護管１３ａの作用について説明する。本実施例の変形例に係る電線防護管１３ａにおいては、縁部３ｂ，３ｂが本体２の内部に向かって湾曲し、その間隔（Ｍ３）が電線の直径よりも小さいことから、電線６に縁部３ｂ，３ｂが係止され易い。従って、本体２が電線６から落下することが防止される。この落下防止作用は、実施例１の電線防護管１と比較してもやや大きいものとなっている。
この他の作用は、実施例１の電線防護管１と同様である。
【００４３】
以上説明したように、本実施例の電線防護管１３によれば、摘み部１４，１４の先端同士の間隔（Ｍ１）が、基端同士の間隔（Ｍ２）よりも小さい構成から、本体２への雨水浸入を減少することが可能であると同時に、実施例１に係る電線防護管１と同程度の本体２の脱着容易性を発揮することができる。なお、間隔（Ｍ１）が０．３〜０．８ｃｍと小さいために、間接活線工具７による電線６への取付容易性がやや低下する可能性が考えられる。しかし、摘み部１４，１４には湾曲部１４ａ，１４ａが形成されているので、これを摘み部１４，１４の側方から把持すれば実施例１に係る摘み部４，４と同等の取付容易性を発揮可能である。従って、湾曲部１４ａ，１４ａの間隔（Ｍ１）が特に問題とはならない。すなわち、電線防護管１３では、前述したように雨水浸入防止効果が向上し、かつ脱着容易性が維持できることから、全体として巻付バインドの劣化抑制という有利な効果を発揮することが可能である。
この他の効果は、実施例１の電線防護管１と同様である。
【００４４】
さらに、本実施例の変形例に係る電線防護管１３ａの効果について説明する。本実施例の変形例に係る電線防護管１３ａにおいては、縁部３ｂ，３ｂによって、実施例１に係る電線防護管１が有する以上の落下防止効果を発揮することができる。なお、縁部３ｂ，３ｂの間隔（Ｍ３）が電線の直径よりも小さいことから、実施例３の電線防護管１３と同様に、間接活線工具７による電線６への取付容易性がやや低下する可能性が考えられる。しかし、縁部３ｂ，３ｂも可撓性を有する軟質ポリエチレンによって構成されているので、着脱時には電線６に当接されることで容易に拡張される。従って、取付容易性の低下は、殆んど無視しうる程度である。
この他の効果は、実施例１の電線防護管１と同様である。
【００４５】
なお、本発明の電線防護管の構造は本実施例に示すものに限定されない。例えば、湾曲部１４ａ，１４ａは、互いに湾曲の曲率が異なっており、一方の湾曲部１４ａに他方の湾曲部１４ａが巻き込まれる構造でも良い。また、摘み部１４，１４の先端同士の間隔（Ｍ１）及び縁部３ｂ，３ｂの間隔（Ｍ３）は、それぞれ本実施例に示された以外の長さであっても良い。
【産業上の利用可能性】
【００４６】
請求項１乃至請求項４に記載された発明は、小動物による感電事故を防止するための、碍子、電線及び電線の保持具である巻付バインドを被覆する電線防護管として利用可能である。
【符号の説明】
【００４７】
１，１０，１０ａ，１３，１３ａ…電線防護管  ２…本体  ２ａ…端部  ３…スリット  ３ａ，３ｂ…縁部  ４，１４…摘み部  ５…狭窄部  ５ａ…切れ込み  ５ｂ…開放部  ６，１００…電線  ７…間接活線工具  ８，１０１…腕金  ９，１０２…碍子  ９ａ，１０２ａ…首部  ９ｂ…頭部  １１，１２…連結部  １２ａ…接続部  １２ｂ…開口部  １２ｃ…袋状部  １４ａ…湾曲部  １０３…巻付バインド
【図１】
0005615895.tif 000003
【図２】
0005615895.tif 000004
【図３】
0005615895.tif 000005
【図４】
0005615895.tif 000006
【図５】
0005615895.tif 000007
【図６】
0005615895.tif 000008